(57)【特許請求の範囲】
【請求項１】
顧客の体型データに基づき、複数の衣服サイズより、いずれかの前記衣服サイズを選択し、選択された前記衣服サイズの衣服を受注する受注部を備え、
前記衣服サイズでは、少なくともバスト寸法と、ウエスト寸法と、ヒップ寸法とが規定されており、
それぞれの前記ウエスト寸法を有する前記衣服サイズには、第１基準値のバスト寸法および第２基準値のヒップ寸法を有する基準サイズと、前記第１基準値より小さいバスト寸法および前記第２基準値より小さいヒップ寸法を有する第１サイズと、前記第１基準値より大きいバスト寸法および前記第２基準値より大きいヒップ寸法を有する第２サイズとのみが含まれており、
前記基準サイズは、第１基準値のバスト寸法、前記ウエスト寸法および第２基準値のヒップ寸法を有する衣服を生成するための生地を裁断するパターンを示した基準パターンデータに対応付いており、
前記第１サイズは、前記第１基準値より小さいバスト寸法、前記ウエスト寸法、および前記第２基準値より小さいヒップ寸法を有する衣服を生成するための生地を裁断するパターンを示した第１パターンデータに対応付いており、
前記第２サイズは、前記第１基準値より大きいバスト寸法、前記ウエスト寸法および前記第２基準値より大きいヒップ寸法を有する衣服を生成するための生地を裁断するパターンを示した第２パターンデータに対応付いており、
各前記衣服サイズの前記基準サイズは、日本産業規格において同一体型区分内で定められたサイズであり、
前記基準サイズの前記バスト寸法と前記第１サイズの前記バスト寸法との差は略３ｃｍであり、前記第２サイズのバスト寸法と前記基準サイズの前記バスト寸法との差は略３ｃｍであり、
前記基準サイズの前記ヒップ寸法と前記第１サイズの前記ヒップ寸法との差は略３ｃｍであり、前記第２サイズのヒップ寸法と前記基準サイズの前記ヒップ寸法との差は略３ｃｍであり、
各前記衣服サイズの前記第２サイズのバスト寸法は、各前記衣服サイズの次に大きい衣服サイズの前記第１サイズのバスト寸法より大きく
各前記衣服サイズの前記第２サイズのヒップ寸法は、各前記衣服サイズの次に大きい衣服サイズの前記第１サイズのヒップ寸法より大きい
情報処理システム。
【請求項２】
前記第１サイズ、前記基準サイズ、前記第２サイズでは、肩幅、ウエスト幅、裾周り幅のそれぞれの寸法が略等しく設定されている、
請求項１に記載の情報処理システム。
【請求項３】
前記衣服のダーツの折り込み幅は、前記第１サイズの前記衣服、前記基準サイズの前記衣服、前記第２サイズの前記衣服の順で大きくなっている、
請求項１ないし２のいずれか一項に記載の情報処理システム。
【請求項４】
前記基準パターンデータ、前記第１パターンデータ、前記第２パターンデータのうち前記顧客に対して選択された衣服サイズのパターンデータに対し、前記体型データに基づいた補正を行い、補正パターンデータを生成するパターン生成部を備えた、
請求項１ないし３のいずれか一項に記載の情報処理システム。
【請求項５】
前記パターン生成部は、前記基準パターンデータ、前記第１パターンデータ及び前記第２パターンデータに基づき、他のウエスト寸法を有する前記衣服サイズにおける基準サイズ、第１サイズ及び第２サイズにそれぞれ対応する基準パターンデータ、第１パターンデータ及び第２パターンデータを生成する
請求項４に記載の情報処理システム。
【請求項６】
前記補正は、着丈、袖丈、スカート丈、股下丈の少なくともいずれかの寸法の変更を含んでいる、
請求項４または５に記載の情報処理システム。
【請求項７】
前記補正パターンデータを使って生地の裁断パターンを決定し、縫製データを生成する型入れ部を備えた、
請求項６に記載の情報処理システム。
【請求項８】
前記縫製データに基づき、前記衣服の縫製の開始を指示する制御信号を送信する演算制御部を備えた、
請求項７に記載の情報処理システム。
【請求項９】
顧客の体型データに基づき、複数の衣服サイズより、いずれかの前記衣服サイズを選択するステップと、
選択された前記衣服サイズの衣服を受注するステップとをコンピュータに実行させる情報処理方法であって、
前記衣服サイズでは、少なくともバスト寸法と、ウエスト寸法と、ヒップ寸法とが規定されており、
それぞれの前記ウエスト寸法を有する前記衣服サイズには、第１基準値のバスト寸法および第２基準値のヒップ寸法を有する基準サイズと、前記第１基準値より小さいバスト寸法および前記第２基準値より小さいヒップ寸法を有する第１サイズと、前記第１基準値より大きいバスト寸法および前記第２基準値より大きいヒップ寸法を有する第２サイズとのみが含まれており、
前記基準サイズは、第１基準値のバスト寸法、前記ウエスト寸法および第２基準値のヒップ寸法を有する衣服を生成するための生地を裁断するパターンを示した基準パターンデータに対応付いており、
前記第１サイズは、前記第１基準値より小さいバスト寸法、前記ウエスト寸法、および前記第２基準値より小さいヒップ寸法を有する衣服を生成するための生地を裁断するパターンを示した第１パターンデータに対応付いており、
前記第２サイズは、前記第１基準値より大きいバスト寸法、前記ウエスト寸法および前記第２基準値より大きいヒップ寸法を有する衣服を生成するための生地を裁断するパターンを示した第２パターンデータに対応付いており、
各前記衣服サイズの前記基準サイズは、日本産業規格において同一体型区分内で定められたサイズであり、
前記基準サイズの前記バスト寸法と前記第１サイズの前記バスト寸法との差は略３ｃｍであり、前記第２サイズのバスト寸法と前記基準サイズの前記バスト寸法との差は略３ｃｍであり、
前記基準サイズの前記ヒップ寸法と前記第１サイズの前記ヒップ寸法との差は略３ｃｍであり、前記第２サイズのヒップ寸法と前記基準サイズの前記ヒップ寸法との差は略３ｃｍであり、
各前記衣服サイズの前記第２サイズのバスト寸法は、各前記衣服サイズの次に大きい衣服サイズの前記第１サイズのバスト寸法より大きく
各前記衣服サイズの前記第２サイズのヒップ寸法は、各前記衣服サイズの次に大きい衣服サイズの前記第１サイズのヒップ寸法より大きい
情報処理方法。
【請求項１０】
顧客の体型データに基づき、複数の衣服サイズより、いずれかの前記衣服サイズを選択するステップと、
選択された前記衣服サイズの衣服を受注するステップとをコンピュータに実行させるプログラムであって、
前記衣服サイズでは、少なくともバスト寸法と、ウエスト寸法と、ヒップ寸法とが規定されており、
それぞれの前記ウエスト寸法を有する前記衣服サイズには、第１基準値のバスト寸法および第２基準値のヒップ寸法を有する基準サイズと、前記第１基準値より小さいバスト寸法および前記第２基準値より小さいヒップ寸法を有する第１サイズと、前記第１基準値より大きいバスト寸法および前記第２基準値より大きいヒップ寸法を有する第２サイズとのみが含まれており、
前記基準サイズは、第１基準値のバスト寸法、前記ウエスト寸法および第２基準値のヒップ寸法を有する衣服を生成するための生地を裁断するパターンを示した基準パターンデータに対応付いており、
前記第１サイズは、前記第１基準値より小さいバスト寸法、前記ウエスト寸法、および前記第２基準値より小さいヒップ寸法を有する衣服を生成するための生地を裁断するパターンを示した第１パターンデータに対応付いており、
前記第２サイズは、前記第１基準値より大きいバスト寸法、前記ウエスト寸法および前記第２基準値より大きいヒップ寸法を有する衣服を生成するための生地を裁断するパターンを示した第２パターンデータに対応付いており、
おり、
各前記衣服サイズの前記基準サイズは、日本産業規格において同一体型区分内で定められたサイズであり、
前記基準サイズの前記バスト寸法と前記第１サイズの前記バスト寸法との差は略３ｃｍであり、前記第２サイズのバスト寸法と前記基準サイズの前記バスト寸法との差は略３ｃｍであり、
前記基準サイズの前記ヒップ寸法と前記第１サイズの前記ヒップ寸法との差は略３ｃｍであり、前記第２サイズのヒップ寸法と前記基準サイズの前記ヒップ寸法との差は略３ｃｍであり、
各前記衣服サイズの前記第２サイズのバスト寸法は、各前記衣服サイズの次に大きい衣服サイズの前記第１サイズのバスト寸法より大きく
各前記衣服サイズの前記第２サイズのヒップ寸法は、各前記衣服サイズの次に大きい衣服サイズの前記第１サイズのヒップ寸法より大きい
プログラム。
【発明の詳細な説明】
【技術分野】
【０００１】
本発明の実施形態は、情報処理システム、情報処理方法およびプログラムに関する。
【背景技術】
【０００２】
レディース用の衣服は、既製服、各種のオーダーメイドの衣服など様々な形態で提供されている。各顧客の予算内で満足できる着心地、フィット感、シルエットが得られる衣服を提供することが求められる。また、各顧客が必要な時に衣服を着用できるよう、顧客の求めるタイミングで衣服を提供することが望ましい。
【０００３】
しかし、これまで顧客である女性は、衣服の満足度、価格、提供までの期間の少なくともいずれかを妥協しなくてはならない場合が多かった。従来提供されてきた衣服は、個々の女性の体型における、バスト、ウエスト、ヒップなどの凹凸部分に合ったものであるとは限らず、着用時に美しいシルエット（例えば、滑らかなくびれ）が形成されない場合もあった。個々の女性を美しく見せる衣服を提供することが求められている。
【先行技術文献】
【特許文献】
【０００４】
【特許文献１】特開２０１４−０８４５４４号公報
【発明の概要】
【発明が解決しようとする課題】
【０００５】
本発明の実施形態は、デザインの美しさを維持しつつ、着心地、フィット感などの満足感が高い衣服の注文を可能にする情報処理システム、情報処理方法およびプログラムを提供する。
【課題を解決するための手段】
【０００６】
本発明の実施形態としての情報処理システムは、顧客の体型データに基づき、複数の衣服サイズより、いずれかの前記衣服サイズを選択し、選択された前記衣服サイズの衣服を受注する受注部を備え、前記衣服サイズでは、少なくともバスト寸法と、ウエスト寸法と、ヒップ寸法とが規定されており、それぞれの前記ウエスト寸法を有する前記衣服サイズには、第１基準値のバスト寸法および第２基準値のヒップ寸法を有する基準サイズと、前記第１基準値より小さいバスト寸法および前記第２基準値より小さいヒップ寸法を有する第１サイズと、前記第１基準値より大きいバスト寸法および前記第２基準値より大きいヒップ寸法を有する第２サイズとが含まれている。
【図面の簡単な説明】
【０００７】
【図１】情報処理システムの構成例を示したブロック図。
【図２】情報処理装置の記憶部に保存されるデータの例を示した図。
【図３】サーバの記憶部に保存されるデータの例を示した図。
【図４】ＪＩＳに基づくレディース用衣服サイズの例を示した図。
【図５】９ＡＲサイズの女性が７ＡＲのジャケットを着用した例を示した写真。
【図６】９ＡＲサイズの女性が９ＡＲのジャケットを着用した例を示した写真。
【図７】９ＡＲサイズの女性が１１ＡＲのジャケットを着用した例を示した写真。
【図８】９ＡＲサイズの女性が７ＡＲ、９ＡＲ、１１ＡＲのジャケットを着用した例を側面から示す写真。
【図９】サイズ体系の一例を示したサイズチャート。
【図１０】ウェスト寸法ごとに基準サイズの寸法と、第１サイズおよび第２サイズの寸法との差を示したテーブル。
【図１１】ジャケットの背面側の例を示した図。
【図１２】ジャケットの正面側の例を示した図。
【図１３】バスト寸法を大きく調整する場合におけるジャケットの右半身部分のパターンの例を示した図。
【図１４】バスト寸法を小さく調整する場合におけるジャケットの右半身部分のパターンの例を示した図。
【図１５】スカートのパターンの例を示した図。
【図１６】スカートのパターンの中ヒップからウエスト上端部の例を示した図。
【図１７】ダーツ部分の縫い付け方法の例を示した図。
【図１８】パンツのパターンの例を示した図。
【図１９】パターンデータの生成処理の例を示すフローチャート。
【図２０】衣服の受注時に実行される処理の例を示すフローチャート。
【図２１】受注された衣服の縫製時に実行される処理の例を示すフローチャート。
【図２２】９Ｌサイズの女性が９Ｓのジャケットを着用した例を示した写真。
【図２３】９Ｌサイズの女性が９Ｍのジャケットを着用した例を示した写真。
【図２４】９Ｌサイズの女性が９Ｌのジャケットを着用した例を示した写真。
【図２５】９Ｌサイズの女性が９Ｓ、９Ｍ、９Ｌのジャケットを着用した例を側面から示す写真。
【発明を実施するための形態】
【０００８】
以下、図面を参照しながら、本発明の実施形態について説明する。また、図面において同一の構成要素は、同じ番号を付し、説明は、適宜省略する。
【０００９】
図１は、情報処理システムの構成例を示したブロック図である。図１の情報処理システムは、情報処理装置１と、サーバ２と、操作装置３と、表示装置４と、情報端末６と、情報端末７と、縫製システム８とを含む。情報処理装置１、サーバ２、情報端末６、情報端末７、縫製システム８はネットワーク５を介して互いに通信可能である。ネットワーク５は、例えば、複数のコンピュータネットワークが相互に接続されたインターネットである。ネットワーク５は、通信媒体として有線、無線または、これらの組み合わせを用いることができる。また、ネットワーク５で使われる通信プロトコルの例としては、ＴＣＰ／ＩＰがあるが、通信プロトコルの種類については特に問わない。操作装置３および表示装置４は、情報処理装置１と電気的に接続されている。
【００１０】
情報処理装置１は、中央演算処理装置（ＣＰＵ）とメモリとを含むコンピュータである。情報処理装置１の例としては、サーバ、デスクトップＰＣ、ノートＰＣが挙げられるが、情報処理装置１は、どのような種類のコンピュータであってもよい。情報処理装置１は、例えば、衣服のパターンの作成処理、顧客からの衣服の注文を受け付ける処理（受注処理）、衣服の注文を受け付けるウェブサイト（例えば、衣服の販売サイト）のサーバ側の処理を実行する。なお、これらの処理は必ず同一のコンピュータによって実行されなくてもよい。例えば、これらの処理の少なくとも一部が異なるコンピュータによって実行されてもよい。また、上述の処理のそれぞれが異なるコンピュータによって実行されてもよい。
【００１１】
操作装置３は、情報処理装置１に情報を入力するための装置である。操作装置３は、例えば、キーボード、マウス、タッチパネル、音声認識装置などであるが、これに限られない。表示装置４は、情報処理装置１から出力される画像、映像、テキストなどを表示するための装置である。表示装置４の例としては、ＬＣＤ（液晶ディスプレイ）、有機ＥＬ（有機エレクトロルミネッセンス）ディスプレイ、プロジェクタがあるが、これに限られない。ユーザは、操作装置３および表示装置４を使い、情報処理装置１に各種の操作を行うことができる。なお、ユーザによって使用される操作装置３または表示装置４の少なくともいずれかは、情報処理装置１に組み込まれたものであってもよい。
【００１２】
サーバ２も、中央演算処理装置（ＣＰＵ）とメモリとを含むコンピュータである。サーバ２の例としては、工場に設置された設備の管理および／または制御用のコンピュータが挙げられる。ただし、サーバ２は、どのような種類のコンピュータであってもよく、サーバ２の設置場所については、特に問わない。サーバ２は、例えば、型入れの支援処理と、所望の衣服が縫製されるよう縫製システム８を制御する処理とを実行する。型入れでは、衣服のパターンの生地上での配置が決められる。なお、これらの処理は必ず同一のコンピュータによって実行されなくてもよい。例えば、これらの処理の少なくとも一部が異なるコンピュータによって実行されてもよい。また、上述の処理のそれぞれが異なるコンピュータによって実行されてもよい。
【００１３】
図１では、１台の情報処理装置１が示されているが、情報処理装置１の台数はこれより多くてもよい。同様に、複数台のサーバ２が設置されていてもよい。情報処理装置１およびサーバ２の機能の少なくとも一部は、仮想コンピュータ（ＶＭ：Ｖｉｒｔｕａｌ  Ｍａｃｈｉｎｅ）やコンテナによって実現されていてもよい。また、複数台のコンピュータによって情報処理装置１およびサーバ２の機能が実現されていてもよい。図１では、情報処理装置１とサーバ２が別々のコンピュータとなっているが、この構成は一例にしかすぎない。例えば、情報処理装置１の少なくとも一部の機能と、サーバ２の少なくとも一部の機能が同一のコンピュータによって実現されていてもよい。
【００１４】
情報端末６は、ラップトップＰＣである。また、情報端末７は、スマートフォンである。情報端末６、７は、いずれも無線通信（例えば、無線ＬＡＮまたはモバイル通信）によって、ネットワーク５に接続された他の装置との間でデータの送受信を行うことができる。ラップトップＰＣやスマートフォンは、情報処理システムで使用可能な情報端末の例にしかすぎない。したがって、デスクトップＰＣ、タブレット、車載機器、組み込み機器のマイコンなどその他の種類の情報端末が用いられてもよい。ユーザは、情報端末をクライアントとして使い、リモート環境で情報処理装置１またはサーバ２を操作することができる。この場合、情報端末は、上述の操作装置３および表示装置４の機能を兼ね備えていてもよい。なお、図１には２台の情報端末が示されているが、情報端末の台数はこれより多くてもよい。
【００１５】
縫製システム８は、例えば、裁断装置、工業用ミシンなど衣服の縫製に使われる装置の組み合わせである。縫製システム８は、例えば、衣服の縫製が行われる工場に設置されている。縫製システム８に含まれる各装置は、有線または無線によってネットワーク５に接続されていてもよい。縫製システム８に含まれる装置は、コンピュータから送信された指令に基づいて自動的に動作するものであってもよいし、従業員が手動で操作するものであってもよい。
【００１６】
次に、情報処理装置１の各構成要素について説明する。情報処理装置１は、演算部１０と、記憶部１４と、入力部１５と、出力部１６と、通信部１７とを備えている。
【００１７】
演算部１０は、演算を実行し、情報処理装置１全体の制御を行う電子回路である。演算部１０として、例えば、ＣＰＵ、マイクロプロセッサ、ＡＳＩＣ、ＦＰＧＡ、ＰＬＤまたはこれらの組み合わせを用いることができる。情報処理装置１の機能の少なくとも一部は、演算部１０の電子回路によって実現されてもよい。また、情報処理装置１の機能の少なくとも一部は、演算部１０上で実行されるプログラムによって実現されてもよい。この場合、プログラムは、一時的でない有形のコンピュータ読み取り可能な記憶媒体（例えば、後述の記憶部１４）に保存される。
【００１８】
演算部１０は、内部の構成要素として、パターン生成部１１と、受注部１２と、ウェブサーバ部１３とを含む。パターン生成部１１は、衣服のパターンの作成を支援する。また、パターン生成部１１は、衣服のパターンの生成、既存パターンの一部の寸法を補正した補正パターンの生成などを行う。パターン生成部１１は、例えば、ＣＡＤプログラム３７をＣＰＵ上で実行することによって実現される。ＣＡＤプログラムの操作画面は、上述の表示装置４に表示されてもよい。受注部１２は、衣服の受注に係る処理を実行する。すなわち、受注部１２は、顧客の体型データに基づき、複数の衣服サイズより、いずれかの衣服サイズを選択し、選択された衣服サイズの衣服を受注する。衣服の受注時には、例えば、顧客が注文した衣服の種類および点数、当該衣服の生地、当該衣服のデザインオプション、当該顧客の体型の各種寸法が特定されている必要がある。受注部１２は、例えば、受注プログラム３８をＣＰＵ上で実行することによって実現される。ウェブサーバ部１３は、衣服の注文を受け付けるウェブサイトのサーバ側の処理を実行する。受注部１２およびウェブサーバ部１３の管理画面は、上述の表示装置４に表示されてもよい。パターン生成部１１、受注部１２およびウェブサーバ部１３が実行する処理の詳細については、後述する。
【００１９】
記憶部１４は、情報処理装置１のプログラム、プログラムの実行に必要なデータ、プログラムによって生成されたデータを含む各種のデータを記憶するメモリまたは／およびストレージである。ここで、プログラムは、ＯＳとアプリケーションの両方を含むものとする。メモリまたは／およびストレージは、揮発性メモリ、不揮発性メモリ、またはこれらの組み合わせであってもよい。揮発性メモリの例としては、ＤＲＡＭ、ＳＲＡＭなどがある。不揮発性メモリの例としては、ＮＡＮＤフラッシュメモリ、ＮＯＲフラッシュメモリ、ＲｅＲＡＭ、ＭＲＡＭが挙げられる。また、ストレージとして、ハードディスク、光ディスク、磁気テープまたは外部の記憶装置が使われてもよい。
【００２０】
入力部１５は、情報処理装置１へのデータ入力を実現する回路である。例えば、上述の操作装置３は入力部１５を介して情報処理装置１に接続される。入力部１５の例として、ＵＳＢ、ＰＣＩ−Ｅｘｐｒｅｓｓ、シリアルポートなどのインタフェースがあるが、その他のインタフェースを使ってもよい。出力部１６は、情報処理装置１からのデータ出力を実現する回路である。例えば、上述の表示装置４は出力部１６を介して情報処理装置１に接続される。出力部１６の例として、ＨＤＭＩ、ＤｉｓｐｌａｙＰｏｒｔなどのインタフェースがあるが、その他の種類のインタフェースを使ってもよい。
【００２１】
情報処理装置１の通信部１７は、ネットワーク５に接続された各装置とデータの送受信を行う通信回路である。通信部１７は、例えば、有線ＬＡＮのＮＩＣ（Ｎｅｔｗｏｒｋ  Ｉｎｔｅｒｆａｃｅ  Ｃａｒｄ）である。ただし、通信部１７は、無線ＬＡＮなど、その他の種類の通信回路であってもよい。
【００２２】
サーバ２は、通信部２０と、演算制御部２１と、記憶部２２とを備えている。また、演算制御部２１は、内部の構成要素として型入れ部２３を備えている。サーバ２の通信部２０は、ネットワーク５に接続された各装置とデータの送受信を行う通信回路である。通信部２０は、例えば、有線ＬＡＮのＮＩＣ（Ｎｅｔｗｏｒｋ  Ｉｎｔｅｒｆａｃｅ  Ｃａｒｄ）である。ただし、通信部２０は、無線ＬＡＮなど、その他の種類の通信回路であってもよい。
【００２３】
サーバ２の演算制御部２１は、演算を実行し、サーバ２全体の制御を行う電子回路である。演算制御部２１として、例えば、ＣＰＵ、マイクロプロセッサ、ＡＳＩＣ、ＦＰＧＡ、ＰＬＤまたはこれらの組み合わせを用いることができる。サーバ２の機能の少なくとも一部は、演算部１０の電子回路によって実現されてもよい。また、サーバ２の機能の少なくとも一部は、演算制御部２１でプログラムを実行することによって実現されてもよい。この場合、プログラムは、一時的でない有形のコンピュータ読み取り可能な記憶媒体（例えば、後述の記憶部２２）に保存される。型入れ部２３は、後述する型入れ支援プログラム４１を実行し、型入れ作業の支援を行う。
【００２４】
サーバ２の記憶部２２は、サーバ２のプログラム、プログラムの実行に必要なデータ、プログラムによって生成されたデータを含む各種のデータを記憶するメモリまたは／およびストレージである。ここで、プログラムは、ＯＳとアプリケーションのいずれも含むものとする。メモリまたは／およびストレージは、揮発性メモリ、不揮発性メモリ、またはこれらの組み合わせであってもよい。揮発性メモリの例としては、ＤＲＡＭ、ＳＲＡＭなどがある。不揮発性メモリの例としては、ＮＡＮＤフラッシュメモリ、ＮＯＲフラッシュメモリ、ＲｅＲＡＭ、ＭＲＡＭが挙げられる。また、ストレージとして、ハードディスク、光ディスク、磁気テープまたは外部の記憶装置が使われてもよい。
【００２５】
図２は、情報処理装置１の記憶部１４に保存されるデータの例を示している。図２の記憶部１４には、顧客データ３０と、生地在庫データ３１と、体型データ３２と、注文データ３３と、オプションデータ３４と、パターンデータ３５と、補正パターンデータ３６と、ＣＡＤプログラム３７と、受注プログラム３８と、ＥＣサイトプログラム３９とが保存されている。一方、図３は、サーバ２の記憶部２２に保存されるデータの例を示している。図３の記憶部２２は、補正パターンデータ４０と、型入れ支援プログラム４１と、縫製データ４２と、制御プログラム４３とが保存されている。図２および図３に示した各種のデータおよびプログラムの詳細については、後述する。
【００２６】
本実施形態に係る情報処理システムの詳細を説明する前に、市場に提供されているレディース用の衣服における課題について述べる。レディース用の衣服は、既製服、各種のオーダーメイドの衣服など様々な形態で提供されている。各顧客の予算内で満足できる着心地、フィット感、シルエットが得られる衣服を提供し、市場の要求に応えていく必要がある。各女性が必要な時に衣服を着用できるよう、比較的短期間で顧客の求める衣服を提供することも求められる。
【００２７】
しかし、これまで顧客である女性は、衣服の満足度、価格、提供までの期間の少なくともいずれかを妥協しなくてはならない場合が多かった。従来提供されてきた衣服は、個々の女性の体型における、バスト、ウエスト、ヒップなどの凹凸部分に合ったものであるとは限らず、着用時に美しいシルエット（例えば、滑らかなくびれ）が形成されない場合もあった。個々の女性を美しく見せる衣服を提供することが求められている。
【００２８】
レディース用の衣服のサイズ（衣服サイズ）は、各機関の定める規格によって、例えば、身長、バスト、ウエストおよびヒップの４つの寸法で特定される。以下では、一例として日本国で規定されている衣服サイズの規格について説明する。
【００２９】
例えば、日本産業規格（ＪＩＳ）のＡ体型は、日本人の成人女子の身長を１４２ｃｍ、１５０ｃｍ、１５８ｃｍおよび１６６ｃｍ（ＰＰ、Ｐ、ＲおよびＴ）に区分し、さらにバストを７４ｃｍ〜９２ｃｍを３ｃｍ間隔で、９２ｃｍ〜１０４ｃｍを４ｃｍ間隔で区分したとき、それぞれの身長とバストの組合せにおいて出現率が最も高くなるヒップのサイズで示される人の体型と定義されている。ウエストは、１０代から７０代までの１０歳間隔の年代区分に応じて参考値が定められている。
【００３０】
一般に、Ａ体型は、日本人女性の標準体型に基づいて定められた衣服サイズであるといわれている。また、Ａ体型とはヒップの寸法が異なる体型としてＹ体型、ＡＢ体型、Ｂ体型が定義されている。Ｙ体型、ＡＢ体型、Ｂ体型のそれぞれには、上述のＡ体型と同様の区分が存在する。ただし、必ずＹ体型、ＡＢ体型、Ｂ体型のサイズの衣服が提供されているとは限らない。例えば、既製服ではＡ体型に相当する衣服サイズしか提供されていない場合もある。
【００３１】
例えば、１０代〜２０代の女性を対象とする場合、Ａ体型の身長１５８ｃｍ（Ｒ）のバスト寸法８３ｃｍ、ヒップ寸法９１ｃｍ、ウエスト寸法６４ｃｍの衣服サイズは、９ＡＲ（９号）となる。図４は、ＪＩＳに基づく衣服のサイズチャートの一例である。図４のサイズチャート６０には、５ＡＲ〜１５ＡＲ（日本人女性の標準体型）の衣服サイズにおける、バスト寸法、ウエスト寸法およびヒップ寸法がｃｍ単位で示されている。国・地域を問わず、レディース用の衣服では、衣服サイズが上述のような“標準体型”における身長、バスト寸法、ヒップ寸法およびウエスト寸法の組合せで特定されていることが多い。
【００３２】
だが、個々の女性の体型は、上述の“標準体型”と多少異なっていることが一般的である。例えば、個々の女性には、身長だけでなく、体型の凹凸（例えば、バストやヒップのサイズ）の違いがある。このため、女性が既製服を着た場合、着心地、フィット感、シルエットの美しさの少なくともいずれかを妥協しなくてはならなかった。また、 “標準体型”は、相対的に定められるものであり、国・地域によって異なるサイズとなる可能性がある。世界各地の女性が顧客となりうる今日、特定の国・地域の“標準体型”に縛られない衣服サイズを用意することが望まれる。
【００３３】
以下では、９ＡＲサイズの女性に７ＡＲ、９ＡＲおよび１１ＡＲのジャケットを着用させた例を示す。図４に示したように、７ＡＲ、９ＡＲ、１１ＡＲの順で、バスト、ウエストおよびヒップの寸法のそれぞれが大きくなっていく。
【００３４】
図５は、９ＡＲサイズの女性が７ＡＲのジャケットを着用した例を正面から示した写真である。また、図８の写真５０は、同じ女性が７ＡＲのジャケットを着用した例を側面から示している。図５および写真５０の女性のように、バストラインを含む身体のラインがはっきり見えるよう、体型に対して小さめの衣服サイズが選択される場合がある。まず、女性を正面から撮影した図５を参照する。図５を見ると、ジャケットのバスト寸法および肩幅がきつく、Ｖゾーンの幅が広くなりすぎていることがわかる。また、ジャケットのウエスト寸法がきつく、ジャケットに皺が出ており、ボタンの位置が高くなりすぎている。袖丈と着丈のいずれも短すぎるため、インナーとして着ているシャツが大きく外側に出ている。
【００３５】
次に、同じ女性を側面から撮影した写真５０を参照する。写真５０を見ると、ジャケットの肩幅がきつく、袖付け線が肩の端より内側に位置していることがわかる。また、ジャケットのウエスト寸法が小さすぎるため、ボタンを留めると前身頃が高くなってしまい、着丈が短く見えている。ウエストおよび背中側のシルエットにくびれが形成されているものの、くびれは急曲線を描いている。写真５０を参照しても、袖丈と着丈のいずれも短すぎることがわかる。
【００３６】
図６は、９ＡＲサイズの女性が９ＡＲのジャケットを着用した例を正面から示した写真である。図８の写真５１は、同じ女性が９ＡＲのジャケットを着用した例を側面から示している。まず、女性を正面から撮影した図６を参照する。図６を見ると、ジャケットのバスト寸法および肩幅が女性の体型に合っているため、適切な角度のＶゾーンが形成されている。また、ジャケットのバスト周りが女性にフィットしている。ウエストには、滑らかなくびれが形成されている。袖丈と着丈のいずれもが女性に合っている。なお、インナーとして着ているシャツの外に出ている部分の大きさと、パンツのポケットとの相対的な位置関係より、着丈の長さが適切であるか否かを確認することができる。
【００３７】
次に、同じ女性を側面から撮影した写真５１を参照する。写真５１を見ても、ジャケットの肩幅とバスト寸法が女性に合っていることがわかる。また、着用時のシルエットを確認すると、ウエストおよび背中側に滑らかなくびれが形成されていることがわかる。また、写真５１を参照しても、袖丈と着丈のいずれもが適切な長さであることがわかる。図６および図８の写真５１の女性には、９ＡＲのジャケットが合っていることがわかる。
【００３８】
図７は、９ＡＲサイズの女性が１１ＡＲのジャケットを着用した例を正面から示した写真である。図８の写真５２は、同じ女性が１１ＡＲのジャケットを着用した例を側面から示している。図７および写真５２の女性のように、バストラインにゆとりを持たせ、身体のラインを強く出さないために、体型に対して大きめのサイズの衣服が選択されることがある。まず、女性を正面から撮影した図７を参照する。図７を見ると、ジャケットの肩幅とバスト寸法が大きすぎるため、Ｖゾーンの幅が狭くなりすぎている。また、ジャケットのバスト周りが大きすぎるため、身体のシルエットが見えなくなっている。ジャケットのウエスト周りも大きすぎるため、ウエスト部分にくびれが形成されていない。さらに、袖丈と着丈のいずれもが長すぎることがわかる。図７では、インナーのシャツ、パンツのポケット、ヒップのすべてがジャケットに覆われているため、着丈が長すぎると判断することができる。
【００３９】
次に、同じ女性を側面から撮影した写真５２を参照する。写真５２を見ても、ジャケットの肩幅とバスト寸法が大きすぎるため、身体のシルエットが見えなくなっていることがわかる。また、ウエストおよび背中側にくびれが形成されず、直線に近いシルエットとなっている。また、写真５２を参照しても、袖丈と着丈のいずれもが長すぎることがわかる。
【００４０】
図５〜図８を参照すると、衣服サイズを変更すると、衣服の各部分の寸法が揃って大きくなるか、小さくなってしまう。このようなサイズ体系によって衣服が提供される場合、衣服の特定の寸法のみを大きくしたり、小さくしたりすることができないため、個々の女性の体型や好みに合わせた服を提供することが難しくなる。この問題点は、上述のようないわゆる“標準体型”に基づいたサイズ体系が採用されている既製服において特に顕著となる。
【００４１】
そこで、女性は、着心地、フィット感、シルエットの美しさなどの満足感を得るために、オーダーメイドの衣服（例えば、オーダースーツ、オーダードレス）の購入を検討することができる。
【００４２】
オーダーメイドの衣服は、衣服の設計の方法によって、フルオーダー、イージーオーダー、パターンオーダーなど複数の種類に分類される。ここでは、フルオーダー、イージーオーダー、パターンオーダーの違いについて説明する。
【００４３】
フルオーダーでは、それぞれの顧客の体型を採寸し、顧客ごとにパターンを作成する。フルオーダーでは、衣服の寸法およびデザインの自由度が高い。したがって、個々の女性の体型に合った、満足度の高い衣服を入手することができる。ただし、フルオーダーでは、衣服の設計工数が大きくなる。したがって、顧客に衣服を提供するまでの時間と、衣服のコストを抑えることが難しくなる。
【００４４】
イージーオーダーでは、それぞれの部位について、あらかじめ用意した複数のパターンから、顧客の体型に最も近いパターンを選択する。そして、それぞれの部位について選択されたパターンを組み合わせ、顧客の衣服を縫製する。イージーオーダーでは、衣服の寸法を細かく調整することが可能である。例えば、袖丈に加え、肩幅の調整など、縦方向と横方向の寸法調整を行うことができる。ただし、顧客の体型に合わせることに主眼が置かれてしまうため、衣服の本来備えるデザインの美しさが損なわれるおそれがある。
【００４５】
パターンオーダーでは、既製服のパターンに微調整を行うことにより、できる限り顧客の体型に合った衣服を提供する。パターンオーダーでは、顧客ごとにパターンを作成する必要がないため、衣服の設計工数を抑えることができる。また、パターンオーダーでは、衣服の本来のデザインの美しさを維持しつつ、顧客の体型に合わせた衣服を提供することができる。ただし、一般的なパターンオーダーで実現できる寸法調整は、着丈、袖丈など縦方向のものに限定され、調整の許容範囲も狭い。
【００４６】
本実施形態では、デザインの美しさを維持しつつ、着心地、フィット感などの満足感が高い衣服の提供を実現する衣服の提供方法について説明する。
【００４７】
上述の課題を解決するため、本実施形態に係る情報処理システムでは、女性の多様な体型に合わせたサイズ体系（サイズチャート）に基づいて衣服を提供することができる。以降の説明では、単に「衣服サイズ」と述べた場合、本実施形態に係る情報処理システムのサイズチャートで規定されている衣服のサイズを意味するものとする。
【００４８】
図９のサイズチャート６１は、本実施形態に係る情報処理システムで使われるサイズチャートの例である。図９のサイズチャート６１には、複数の衣服サイズ（５Ｓ〜１５Ｌ）における、バスト寸法、ウエスト寸法およびヒップ寸法がｃｍ単位で示されている。また、図９において、末尾にＭが付された衣服サイズ（５Ｍ、７Ｍ、９Ｍ、１１Ｍ、・・・、１５Ｍ）は、ウエスト寸法によって特定される基準サイズである。それぞれの基準サイズは、ＪＩＳにおける５ＡＲ〜１５ＡＲに相当する。先頭に同じ数字が付された複数の衣服サイズでは、ウエスト寸法が等しくなっている。例えば、先頭に“５”は付された衣服サイズ（５Ｓ、５Ｍ、５Ｌ）のウエスト寸法はいずれも５８ｃｍであり、先頭に“７”は付された衣服サイズ（７Ｓ、７Ｍ、７Ｌ）のウエスト寸法はいずれも６１ｃｍである。
【００４９】
衣服サイズには、少なくともバスト寸法、ウエスト寸法、ヒップ寸法が含まれているものとする。衣服サイズに、これらとは異なる寸法が含まれていてもよい。また、女性の体型の凹凸部分の寸法を指しているのであれば、衣服サイズのサイズ体系においてバスト／ウエスト／ヒップ以外の呼称が使われていてもよい。また、衣服サイズのサイズ体系は、日本国のＪＩＳで規定されているものに限られない。衣服サイズのサイズ体系は、例えば、中華人民共和国国家標準（ＧＢ）、台湾國家標準（ＣＮＳ）、韓国産業規格（ＫＳ）、ＡＳＴＭ、ＥＮ（Ｅｕｒｏｐｅａｎ  Ｎｏｒｍ）などその他の規格に基づくものであってもよい。
【００５０】
それぞれのウエスト寸法の衣服サイズ（ここの例では、先頭に同じ数字が付された衣服サイズ）には、第１基準値のバスト寸法および第２基準値のヒップ寸法を有する基準サイズと、第１基準値より小さいバスト寸法および第２基準値より小さいヒップ寸法を有する第１サイズと、第１基準値より大きいバスト寸法および第２基準値より大きいヒップ寸法を有する第２サイズとが含まれている。ここで、第１サイズは、図９のサイズチャート６１において、末尾にＳが付された衣服サイズ（５Ｓ、７Ｓ、９Ｓ、１１Ｓ、・・・、１５Ｓ）に相当する。一方、第２サイズは、図９のサイズチャート６１において、末尾にＬが付された衣服サイズ（５Ｌ、７Ｌ、９Ｌ、１１Ｌ、・・・、１５Ｌ）に相当する。
【００５１】
なお、図９における番号とアルファベットの大文字が組み合わされた衣服サイズの記号は、ＪＩＳで使われているサイズ名との対応関係の明確化するために採用されたものである。したがって、これとは異なる形式で定義された衣服サイズの記号が使われてもよく、衣服サイズの呼称および形式については特に問わない。ここでは、各基準サイズに対して、第１サイズと第２サイズがひとつずつ存在するサイズ体系を例に説明をしている。ただし、各基準サイズに対して、複数の第１サイズが存在するサイズ体系を使ってもよい。また、各基準サイズに対して、複数の第２サイズが存在するサイズ体系を使ってもよい。
【００５２】
図１０は、ウエスト寸法ごとに基準サイズの寸法と、第１サイズおよび第２サイズの寸法との差を示したテーブルである。図９、図１０を参照すると、それぞれのウエスト寸法を有する衣服サイズ（ここでは、先頭に同じ数字が付された衣服サイズ）において、基準サイズのバスト寸法と第１サイズのバスト寸法との差は、第２サイズのバスト寸法と基準サイズのバスト寸法との差に等しくなっている。ただし、同じウエスト寸法を有する衣服サイズのバスト寸法について、必ずこの関係が成立していなくてもよい。また、図９のサイズチャート６１では、それぞれのウエスト寸法を有する衣服サイズにおいて、基準サイズのバスト寸法と第１サイズのバスト寸法との差および第２サイズのバスト寸法と基準サイズのバスト寸法との差のいずれもが、一定値（３ｃｍ）をとっている。ただし、この差は、３ｃｍ以外の値であってもよいし、必ず一定値でなくてもよい。
【００５３】
図９、図１０を参照すると、それぞれのウエスト寸法を有する衣服サイズ（ここでは、先頭に同じ数字が付された衣服サイズ）において、基準サイズのヒップサイズと第１サイズのヒップ寸法との差は、第２サイズのヒップ寸法と基準サイズのヒップ寸法との差に等しくなっている。ただし、同じウエスト寸法を有する衣服サイズのバスト寸法について、必ずこの関係が成立していなくてもよい。また、図９のサイズチャート６１では、それぞれのウエスト寸法を有する衣服サイズにおいて、基準サイズのヒップ寸法と第１サイズのヒップ寸法との差および第２サイズのヒップ寸法と基準サイズのヒップ寸法との差のいずれもが、一定値（３ｃｍ）をとっている。ただし、この差は、３ｃｍ以外の値であってもよいし、必ず一定値でなくてもよい。
【００５４】
以下では、基準サイズの衣服に変更を加え、図９に示したサイズ体系に基づく衣服を設計する手法について説明する。基準サイズとしては、例えば、ＪＩＳの９ＡＲ（９号）などいわゆる“標準体型”の衣服サイズが挙げられる。ただし、基準サイズの衣服サイズについては、特に限定しない。
【００５５】
まず、ジャケットの場合における衣服の設計方法の例を説明する。
【００５６】
図１１は、ジャケットの背面側を示している。図１１には、ジャケットの肩幅、ウエスト幅、裾周り幅が示されている。設計時では、基準サイズに対し、できる限り肩幅、ウエスト幅、裾周り幅の寸法を変えずにバスト寸法およびヒップ寸法を調整する（第１のルール）。すなわち、衣服サイズにおいて、同一のウエスト寸法を有する、第１サイズ、基準サイズ、第２サイズでは、肩幅、ウエスト幅、裾周り幅のそれぞれの寸法が略等しく設定されていてもよい。
【００５７】
図１２は、ジャケットの正面側の例を示している。図１２に示したように、基準サイズと比べてバスト寸法を３ｃｍ大きく調整する場合を例に説明する。既製服においてバスト寸法が３ｃｍ大きい衣服を求めた場合、バスト寸法に限らず、衣服全体が大きくなる問題点があった。また、既製服においてバスト寸法が３ｃｍ小さい衣服を求めた場合には、バスト寸法に限らず、衣服全体が小さくなる問題点がある。そこで、他の部位への影響を最小限にするために、衣服のパターン上では前身頃と前脇を中心に調整を行う（第２のルール）。これにより、図１２に示したように、バスト寸法を３０．２ｍｍ大きくした場合、袖周りへの影響を１０．５ｍｍの増加にとどめることができる。また、バスト寸法を２９．２ｍｍ小さくした場合、袖周りへの影響を１１．２ｍｍの減少にとどめることができる。
【００５８】
図１３は、バスト寸法を大きく調整する場合におけるジャケットの右半身部分のパターンの例を示している。図１３には、パターン７０、７１が示されている。パターン７０は、ジャケットの右前脇の部分に相当する。パターン７１は、ジャケットの右前身頃の部分に相当する。基準サイズの場合におけるパターンの形状は、実線で示されている。上述のように、基準サイズと比べてバスト寸法を大きくしたい場合、パターン７０、７１を破線で示されている形状に変更する。
【００５９】
パターンの形状変更により、パターン７０、７１のバスト寸法に相当する部分の長さが大きくなる。線分ｂ０はパターン７０のバスト寸法に相当する部分の長さを示す。また、線分ｂ１はパターン７１のバスト寸法に相当する部分の長さを示す。具体的には、基準サイズと比べ、線分ｂ０をｘ軸負方向側に６．６ｍｍ、ｘ軸正方向側に３．９ｍｍ、それぞれ拡張する。また、基準サイズと比べ、線分ｂ１をｘ軸負方向側に４．６ｍｍ拡張する。したがって、図１３の範囲では、バスト寸法に相当する部分の長さが基準サイズと比べ、６．６ｍｍ＋３．９ｍｍ＋４．６ｍｍ＝１５．１ｍｍ大きくなる。図１３と同様のパターン形状変更をジャケットの左半身部分についても行うことにより、バスト寸法を合計３０．２ｍｍ大きくすることができる。袖周りへの影響は、パターン７０の調整による６．６ｍｍ＋３．９ｍｍ＝１０．５ｍｍの増加にとどまる。
【００６０】
基準サイズに対し縦方向（例えば、図１３のｙ軸方向）の補正を行わずに、バスト寸法を大きくする変更を行うと、ボタンの位置が高くなりすぎたり、着丈が短くなりすぎたりするおそれがある。そこで、基準サイズと比べてバスト寸法を大きく調整する場合、上述の変更に加え、パターンの縦方向の調整を行う（第３のルール）。例えば、図１３では、右前身頃（パターン７１）の丈（ｙ軸方向の大きさ）を７．０ｍｍ長くしている。左前見頃のパターンについても、同様に丈を７．０ｍｍ長くする。これにより、ジャケットの外観を損なうことなく、部分的な寸法の調整を行うことが可能となる。また、図１３に示されているように、必要に応じてポケットの位置調整を行ってもよい。
【００６１】
図１４は、バスト寸法を小さく調整する場合におけるジャケットの右半身部分のパターンの例を示している。図１４には、パターン７０、７１が示されている。パターン７０は、ジャケットの右前脇の部分に相当する。パターン７１は、ジャケットの右前身頃の部分に相当する。基準サイズの場合におけるパターンの形状は、実線で示されている。基準サイズと比べてバスト寸法を小さくしたい場合、パターン７０、７１を破線で示されている形状に変更する。
【００６２】
パターンの形状変更により、パターン７０、７１のバスト寸法に相当する部分の長さが小さくなる。線分ｂ０は、パターン７０のバスト寸法に相当する部分の長さを示すものとする。また、線分ｂ１は、パターン７１のバスト寸法に相当する部分の長さを示す。具体的には、基準サイズと比べ、線分ｂ０をｘ軸負方向側に６．０ｍｍ、ｘ軸正方向側に５．２ｍｍ、それぞれ縮小する。また、基準サイズと比べ、線分ｂ１をｘ軸負方向側に３．４ｍｍ縮小する。したがって、図１４の範囲では、バスト寸法に相当する部分の長さが基準サイズと比べ、６．０ｍｍ＋５．２ｍｍ＋３．４ｍｍ＝１４．６ｍｍ小さくなる。図１４と同様のパターン形状変更をジャケットの左半身部分についても行うことにより、バスト寸法を合計２９．２ｍｍ小さくすることができる。袖周りへの影響は、パターン７０の調整による６．０ｍｍ＋５．２ｍｍ＝１１．２ｍｍの減少にとどまる。なお、バスト寸法を小さく調整する場合には、必ず丈（ｙ軸方向の大きさ）の調整を行わなくてもよい。
【００６３】
上述の設計を行うことにより、衣服全体の寸法を大きく変えずに、身体の一部の寸法（例えば、バスト寸法）の異なる衣服を提供することが可能となる。なお、上述で説明した寸法の調整量は、平面上に配置されたパターン（すなわち、パターンの平面図）について計測された値である。平面図上では、バスト寸法に相当する部分の長さの調整量が正確に±３０．０ｍｍとなっていなくても、生地を立体的に縫製した後に調整量がほぼ±３０．０ｍｍとなるように設計することが可能である。バスト寸法に限らず、例えば、袖周りの調整量についても、上述と同様のことがいえる。
【００６４】
次に、スカートの場合における衣服の設計方法の例を説明する。
【００６５】
図１５は、スカートのパターンの例を示している。図１５には、パターン７４と、パターン７５とが示されている。パターン７４は、スカートの後身頃の一部に相当する。一方、パターン７５は、スカートの前身頃の部分に相当する。パターン７４、７５の線分Ｈは、ヒップの最も高くなる位置を示している。スカートの設計では、基準サイズからウエスト寸法を変更せず、ヒップ寸法の変更を行う。このために、パターンの横方向の調整と、ダーツにおける折り込み幅の変更とを合わせて行う。
【００６６】
パターンの横方向の調整では、ウエスト・ヒップ・裾に相当する部分まで図１５のｘ軸方向の幅が調整される。ｘ軸方向の幅を調整量は、裾から線分Ｈの位置で一定値に設定されており、線分Ｈからウエストの方向（ｙ軸正方向）に向かうのにしたがって小さくなっている。また、ダーツにおける折り込み幅の変更では、パターンの横方向の調整に関わらず、縫製される衣服が基準サイズと同等のウエスト寸法となるよう、ダーツにおける折り込み幅を変える。
【００６７】
図１６は、図１５におけるスカートの中ヒップからウエスト上端部を拡大して示している。図１５の実線Ｍは、基準サイズにおけるパターン縁部を示している。一方、破線Ｓは、第１サイズにおけるパターン縁部を示している。また、破線Ｌは、第２サイズにおけるパターン縁部を示している。図１５のパターン７４、７５の縁部を参照すると、図１６と同様に、破線Ｓ、Ｌおよび実線Ｍが使われていることがわかる。図１５の第１サイズでは、基準サイズと比べてパターンのｘ軸方向の幅が短く変更されている。また、図１５の第２サイズでは、基準サイズと比べてパターンのｘ軸方向の幅が長く変更されている。
【００６８】
図１７は、図１５におけるダーツ部分を拡大して示している。ダーツ部分では、例えば、線分Ｄと、線分Ｓ、Ｍ、Ｌのいずれかが重なるように生地を折りたたみ、生地の折りたたまれた部分を縫い付けることによって、ウエストに相当する部分の幅を絞ることができる。基準サイズでは、線分Ｄと線分Ｍが重なるようにダーツを形成される。一方、第１サイズでは、線分Ｄと線分Ｓが重なるようにダーツが形成される。また、第２サイズでは、線分Ｄと線分Ｌが重なるようにダーツが形成される。このため、第１サイズでは、ダーツによるウエスト寸法の絞り込み幅が基準サイズより少なくなる。また、第２サイズでは、ダーツによるウエスト寸法の絞り込み幅が基準サイズより多くなる。
【００６９】
図１５を再び参照する。後身頃の部分のパターン７４には、ダーツ６３、６４の２つのダーツが設けられている。図１５に示されていない、後身頃の部分のもう一方のパターンにも２つのダーツが設けられている。したがって、後身頃の部分には、合計４つのダーツが存在する。また、前身頃の部分のパターン７５には、ダーツ６５、６６の２つのダーツが設けられている。
【００７０】
ここでは、基準サイズと比べてヒップ寸法の大きい第２サイズのスカートを設計する場合の例を説明する。まず、線分Ｈ上の幅が合計３ｃｍ大きくなるよう、前身頃のパターン７４の縁部と、後身頃のパターンの縁部を調整する。上述のように、ｘ方向の幅の調整量は、線分Ｈからウエストの方向（図１５のｙ軸正方向）に向かうのにしたがって小さくなるため、線分Ｈ上の＋３ｃｍの調整量は、ヒップ部分におけるｘ軸方向の＋２．４ｃｍの調整量に相当する。したがって、複数のダーツを使って、ウエストの寸法を基準サイズと比べて２．４ｃｍ絞り込めば、基準サイズのウエスト寸法を維持することができる。例えば、前身頃のダーツ６５、６６のそれぞれで絞り込み幅を基準サイズより０．６ｃｍ増やす。また、後身頃の４つのダーツでそれぞれ絞り込み幅を基準サイズより０．３ｃｍ増やす。これにより、ウエスト寸法を２．４ｃｍ絞り込むことが可能となる。
【００７１】
基準サイズと比べてヒップ寸法が小さい第１サイズのスカートを設計する場合、上述と逆方向に調整を行えばよい。このように、同一のウエスト寸法を有する、衣服のダーツの折り込み幅は、第１サイズの衣服、基準サイズの衣服、第２サイズの衣服の順で大きくなっていてもよい。図１５〜図１７で説明したスカートの設計方法は一例にしかすぎない。一般に、デザインによってスカートの設計方法は異なる。したがって、ダーツの数、各ダーツにおけるウエスト寸法の絞り込み幅、横方向（図１５のｘ軸方向）の幅の調整量は上述とは異なっていてもよい。
【００７２】
次に、パンツの場合における衣服の設計方法の例を説明する。
【００７３】
図１８は、パンツのパターンの例を示している。図１８には、パターン７６と、パターン７７と、ヨークベルト７８と、ヨークベルト７９とが示されている。パターン７６は、パンツの後身頃の部分に相当している。パターン７７は、パンツの前身頃の部分に相当している。ヨークベルト７８は、ヨークベルトの後身頃の部分に相当している。ヨークベルト７９は、ヨークベルトの前身頃の部分に相当している。パターン７６、７７のそれぞれには、渡り幅、膝幅、裾口幅の測り方が示されている。渡り幅のみ、前見頃のパターンと後身頃のパターンとで測る位置が異なっている。パンツの設計では、基準サイズからウエスト寸法、膝幅、袖口幅を変更せずに、ヒップ寸法が調整される。
【００７４】
ヒップ寸法を変更したい場合、渡り幅を調整する。例えば、基準サイズよりヒップ寸法が大きい第２サイズの設計を行う場合、基準サイズより渡り幅を広くする。各ダーツにおける絞り込み幅を増やすことで基準サイズのウエスト寸法を維持しながら、渡り幅を大きくすることができる。渡り幅の変更に伴い、パターンのｙ軸正方向（ウエスト側）の縁部の形状および寸法も変わってしまうため、ヨークベルトの形状および寸法の調整も行う。なお、基準サイズよりヒップ寸法が小さい第１サイズの設計を行う場合、基準サイズより渡り幅を狭くすればよい。
【００７５】
以下では、本実施形態に係る情報処理システムによって実行される処理の例について述べる。パターンデータの生成処理、衣服の受注時に実行される処理、受注された衣服の縫製時に実行される処理の順に説明をする。
【００７６】
図１９は、パターンデータの生成処理の例を示すフローチャートである。ここでは、図１９のフローチャートを参照しながら、処理を説明する。顧客からの衣服の注文の受け付けおよび当該衣服の縫製を行う前に、衣服のパターンデータを用意する必要がある。
【００７７】
まず、いずれかのウエスト寸法を有する第１サイズ、基準サイズおよび第２サイズの衣服のパターンを作成する（ステップＳ１０１）。例えば、ステップＳ１０１では、最初に特定のウエスト寸法における基準サイズのパターンを作成する。そして、当該基準サイズのパターンに対して、図１２〜図１８で説明した変更を施し、第１サイズのパターンおよび第２サイズのパターンを作成することができる。ただし、基準サイズ、第１サイズ、第２サイズの作成順序および作成方法はこれとは異なっていてもよい。特定のウエスト寸法における基準サイズの例としては、ＪＩＳの９ＡＲ（９号）などいわゆる“標準体型”の衣服サイズが挙げられる。ただし、特定のウエスト寸法における基準サイズとして、その他の衣服サイズが使われてもよい。例えば、ＪＩＳ、ＧＢ、ＣＮＳ、ＫＳ、ＡＳＴＭ、ＥＮの少なくともいずれかの規格に基づく衣服サイズが使われてもよい。
【００７８】
パタンナー（ｐａｔｔｅｒｎ  ｍａｋｅｒ）は、ファッションデザイナーの作成したデザイン画を参照し、パターン生成部１１（演算部１０）で実行されるＣＡＤプログラム３７を使いながら、衣服のパターンを作成することができる。この作業は、パターンメーキング工程に相当する。また、パターンメーキング工程で作成されたパターンは、マスターパターンとよばれる。
【００７９】
なお、ステップＳ１０１で、必ず基準サイズのパターンを新規に作成しなくてもよい。例えば、既に設計済みの既製服のパターンがあれば、当該パターンを基準サイズのパターンとし、第１サイズおよび第２サイズのパターンを作成することもできる。ステップＳ１０１で作成されたパターン（マスターパターン）のデータはパターンデータ３５の一部として、記憶部１４に保存される。
【００８０】
次に、その他のウエスト寸法を有する衣服サイズ（第１サイズ、基準サイズ、第２サイズ）の衣服のパターンを作成する（ステップＳ１０２）。ステップＳ１０２では、グレーディングとよばれる作業が行われ、マスターパターンに基づき、その他の衣服サイズに係るパターンの作成が行われる。ステップＳ１０２でも、パターン生成部１１（演算部１０）で実行されるＣＡＤプログラム３７が使われる。ＣＡＤプログラム３７を使ったグレーディングは、ステップＳ１０１のパタンナーとは別の担当者によって行われてもよいし、同一の担当者によって行われてもよい。また、計算式またはスクリプトなどを使って、マスターパターンからその他のサイズのパターンを自動的に生成してもよい。ＣＡＤプログラム３７による自動的なグレーディングを行う場合、担当者は、生成されたパターンを確認しながら手動で調整を行ってもよい。
【００８１】
例えば、ステップＳ１０１で作成されたマスターパターンの衣服サイズが図９の９Ｓ、９Ｍ、９Ｌである場合、ステップＳ１０２では、５Ｓ〜７Ｌおよび１１Ｓ〜１５Ｌの衣服サイズに係るパターンが作成される。例えば、第１サイズ（９Ｓ）のパターンにグレーディングを行うことによって、５Ｓ、７Ｓ、１１Ｓ、１３Ｓ、１５Ｓの各衣服サイズに係るパターンを生成する。また、基準サイズ（９Ｍ）のパターンにグレーディングを行うことによって、５Ｍ、７Ｍ、１１Ｍ、１３Ｍ、１５Ｍの各衣服サイズに係るパターンを生成する。さらに、第２サイズ（９Ｌ）のパターンにグレーディングを行うことによって、５Ｌ、７Ｌ、１１Ｌ、１３Ｌ、１５Ｌの各衣服サイズに係るパターンを生成する。
【００８２】
そして、作成した各衣服サイズに係るパターンを保存する（ステップＳ１０３）。ステップＳ１０３では、ステップＳ１０１およびステップＳ１０２で作成されたパターンのデータをパターンデータ３５として、記憶部１４に保存する。
【００８３】
ここまではパターンデータの生成処理について説明した。衣服の受注を開始する前に、パターンデータの作成以外の作業を行ってもよい。例えば、衣服で使う生地の種類、裏地の有無、裏地の種類、ポケットの有無、ポケットの形状、ボタンの種類、ステッチの有無などオプションの内容を決めることができる。顧客が選択可能なオプションの内容は、オプションデータ３４として、記憶部１４に保存される。また、衣服のオプションデザインごとに、異なるパターンを作成してもよい。
【００８４】
図２０は、衣服の受注時に実行される処理の例を示すフローチャートである。ここでは、図２０のフローチャートを参照しながら、処理を説明する。
【００８５】
まず、衣服の注文を希望している顧客が特定される（ステップＳ２０１）。ステップＳ２０１で実行される処理は、顧客が新規の顧客であるか、それとも既存の顧客であるかによって異なる。例えば、新規の顧客である場合、当該顧客の氏名、住所、電話番号などの情報が受注部１２を介して、情報処理装置１に入力される。顧客の情報は、顧客データ３０として、記憶部１４に保存される。既存の顧客である場合、受注処理に必要な顧客の情報が、記憶部１４の顧客データ３０より抽出される。
【００８６】
次に、顧客が注文する衣服の生地、衣服の種類、点数、オプションが入力される（ステップＳ２０２）。受注部１２は、生地在庫データ３１を参照し、顧客の希望する生地の在庫の有無を確認してもよい。顧客の希望する生地の在庫がある場合、受注部１２は生地在庫データ３１を更新し、当該生地を一定量予約することができる。予約された生地は、予約が解除されない限り、縫製が開始されるまで当該顧客のために確保される。衣服の種類の例としては、ジャケット、スカート、パンツ、ドレスなどが挙げられる。ただし、衣服の種類はこれより細かく指定されていてもよい。例えば、１ボタンのジャケット、２ボタンのジャケット、ノーカラーのジャケット、タイトスカート、マーメイドスカート、タックスカート、テーパードパンツ、ストレートパンツ、９分丈パンツ、ノースリーブドレス、５分袖ドレスのそれぞれが商品名または識別子によって指定されてもよい。顧客の注文内容は、注文データ３３として、記憶部１４に保存される。
【００８７】
そして、顧客の体型を計測し、体型データを入力する（ステップＳ２０３）。顧客の体型の計測方法については、特に問わない。例えば、従業員が巻尺を使って店舗に来た顧客の体型を計測してもよい。また、店舗にある衣服のサンプルを顧客が試着し、当該サンプルの着心地、フィット感、シルエットなどから、当該顧客の体型に合った衣服サイズを求めてもよい。また、顧客がスマートフォンなどの情報端末で自身の画像を撮影し、当該画像を情報端末にインストールされた採寸アプリに入力し、体型データを求めてもよい。顧客の体型データは、受注部１２を介して情報処理装置１に入力される。顧客の体型データは、記憶部１４に体型データ３２として保存される。
【００８８】
なお、体型データ３２として各種の形式を使うことができる。例えば、身長、肩幅、腕の長さ、バスト寸法、ウエスト寸法、ヒップ寸法、股下の長さなどの数値によって顧客の体型を特定してもよい。これらの項目は計測される数値の一例にしかすぎない。このため、上述のすべての項目が計測されていなくてもよい。また、その他の項目が計測されてもよい。また、例えば、上述の図９のような衣服サイズで顧客の体型を特定してもよい。
【００８９】
なお、ステップＳ２０１〜ステップＳ２０３の処理は、例えば、顧客による衣服の注文時に実行される。ただし、これらの処理は、どのようなタイミングで実行されてもよい。例えば、顧客は、ネットワーク５と通信可能な情報端末を使ってウェブサーバ部１３によって提供されるウェブサイトにアクセスし、氏名、住所、電話番号、衣服の種類、衣服の点数、衣服のオプション、体型データなどを情報処理装置１に入力することができる。また、店舗で接客を行う従業員が、店舗に設置された情報端末を使ってウェブサーバ部１３によって提供されるウェブサイトにアクセスし、氏名、住所、電話番号、衣服の種類、衣服の点数、衣服のオプション、体型データなどを情報処理装置１に入力してもよい。
【００９０】
次に、該当する種類の衣服について、体型データに基づき衣服サイズを選択する（ステップＳ２０４）。ステップＳ２０４の処理は情報処理システムによって実行されてもよい。また、従業員などの人が衣服サイズの選択を行ってもよい。例えば、受注部１２は、顧客の身長、バスト寸法、ウエスト寸法、ヒップ寸法に最も近い衣服サイズを選択する。衣服サイズの選択の際には、衣服の各寸法が体型データ３２に含まれる顧客の身体の各部位の対応する寸法以上となっていることを条件としてもよい。選択される衣服サイズの縦方向（図１３〜図１５および図１８のｙ軸方向）の寸法は、顧客の体型と厳密に一致していなくてもよい。縦方向の寸法の調整は比較的容易であるからである。縦方向の寸法の例としては、着丈、袖丈、スカート丈、股下丈などが挙げられる。体型データから衣服サイズを選択する方法については、特に限定しない。なお、既にサンプルの試着によって、顧客に合った衣服サイズが特定されている場合、ステップＳ２０４の処理をスキップしてもよい。
【００９１】
そして、情報処理システムは、衣服の種類および衣服サイズに対応するパターンを特定する（ステップＳ２０５）。例えば、受注部１２は、記憶部１４のパターンデータ３５を探索し、対象の衣服の各部位におけるパターンを特定する。
【００９２】
次に、情報処理システムは、特定したパターンに対し顧客の体型データに基づいた補正を行い、補正パターンデータを生成する（ステップＳ２０６）。例えば、パターン生成部１１は、選択された衣服サイズの着丈、袖丈、スカート丈、股下丈の少なくともいずれかの寸法を変更した補正パターンデータ３６を生成する。ステップＳ２０６では、パターンのその他の寸法を変更してもよい。また、ポケットなどオプションとなっている部位の形状の変更を行ってもよい。寸法の補正量は、顧客の体型データ３２とパターンデータ３５の両方に基づいて計算されてもよい。また、衣服のサンプル試着によって縦方向の寸法の補正量が計測されている場合には、計測された補正量に基づき、パターンを補正してもよい。補正パターンデータ３６は、記憶部１４に保存される。
【００９３】
ここでは、受注後に顧客の衣服が縫製される場合に実行される処理を説明している。ただし、既に顧客の注文した種類および衣服サイズの衣服の在庫があるのであれば、衣服に係るパターンの補正および衣服の縫製を行わなくてもよい。例えば、店舗に顧客の希望する種類および衣服サイズの衣服の在庫があるのであれば、当該衣服を店舗で顧客に引き渡してもよい。また、店舗、倉庫、工場などいずれかの施設に顧客の注文した種類および衣服サイズの衣服の在庫がある場合、顧客への引き渡し前に、顧客の体型データに基づき、当該衣服の縦方向の寸法の直しのみを行ってもよい。顧客が注文した衣服を、当該顧客の指定した送付先に配達してもよい。また、本実施形態に係る情報処理システムを使い、オーダーメイドの衣服に限らず、既製服の注文の受け付けを行ってもよい。
【００９４】
図２０のフローチャートの説明では、決済が行われるタイミングについて特に述べなかった。決済が行われるタイミングについては特に限定しない。例えば、注文された衣服の引き渡しと同時に決済が行われてもよい。また、衣服の注文が行われるタイミング（例えば、ステップＳ２０３の後）に決済が行われてもよい。
【００９５】
図２１は、受注された衣服の縫製時に実行される処理の例を示すフローチャートである。ここでは、図２１のフローチャートを参照しながら、処理を説明する。
【００９６】
まず、情報処理装置１の受注部１２は、通信部１７を介し、顧客が注文した衣服に係る補正パターンデータをサーバ２に送信する（ステップＳ３０１）。そして、サーバ２は、通信部２０を介して補正パターンデータを受信する（ステップＳ３０２）。このとき、サーバ２の演算制御部２１は、受信した補正パターンデータを補正パターンデータ４０として、記憶部２２に保存してもよい。
【００９７】
次に、サーバ２の型入れ部２３は、型入れ支援プログラム４１を実行し、補正パターンデータを使って型入れを行い、縫製データ４２を生成する（ステップＳ３０３）。型入れとは、生地におけるパターンの配置を決定する作業のことをいう。例えば、柄付きの生地を使う場合、縫製後の柄の方向の整合性を考慮し、生地上のパターン配置を決めてもよい。型入れは、型入れ支援プログラム４１によって自動的に行われてもよいし、技術者によって手動で行われてもよい。また、技術者が型入れ支援プログラム４１によって配置された各パターンの生地上の位置をチェックし、必要に応じてパターン配置の修正を行ってもよい。型入れ支援プログラム４１は、縫製データ４２を記憶部２２に保存してもよい。
【００９８】
そして、サーバ２の演算制御部２１は、制御プログラム４３を実行することによって縫製システム８を制御する。これにより、縫製データ４２に基づき、衣服の縫製が開始される（ステップＳ３０４）。例えば、演算制御部２１は、通信部２０を介して縫製システム８に衣服の縫製の開始を指示する制御信号を送信する。ネットワーク５を介して制御信号を受信した縫製システム８は、衣服の縫製を開始する。演算制御部２１は、通信部２０を介して縫製システム８から衣服の縫製作業の進捗に関する情報を受信してもよい。縫製システム８による衣服の縫製が完了したら、サーバ２の演算制御部２１は、衣服が完成した旨を通知する（ステップＳ３０５）。当該通知は、サーバ２の通信部２０を介し、情報処理装置１の受注部１２に送信されてもよい。ただし、通知の宛先および形式については特に問わない。また、縫製システム８を使う従業員が、衣服の完成時にサーバ２を操作し、通知を行ってもよい。
【００９９】
図２１では、補正パターンデータの送信処理と受信処理が実行されている。ただし、必ず補正パターンデータの送信処理と受信処理が実行されなくてもよい。例えば、補正パターンデータが型入れ支援プログラム４１が実行されるコンピュータの参照可能な場所に保存されている場合、補正パターンデータの転送処理は不要となる。
【０１００】
以下では、９Ｌサイズの女性が図９の９Ｓ、９Ｍおよび９Ｌの衣服サイズに係る衣服を着用した例を示す。
【０１０１】
図２２は、９Ｌサイズの女性が９Ｓのジャケットを着用した例を正面から示している。図２５の写真５３は、同じ女性が９Ｓのジャケットを着用した例を側面から示している。まず、女性を正面から撮影した図２２を参照する。図２２を見ると、ジャケットのバスト周りがきつく、Ｖゾーンの幅が広くなりすぎていることがわかる。また、Ｖゾーンのラインが歪んでしまっている。また、ジャケットのボタンを留めると、ボタンを中心に、前身頃の各方法へ放射線状に皺が出てしまうことがわかる。
【０１０２】
そして、同じ女性を側面から撮影した写真５３を参照する。写真５３を見ると、バストと脇の間のエリアおよびウエスト付近に皺が出ている。また、ジャケット着用時におけるシルエットを確認すると、背中側のくびれが急曲線となっている上に、背中側のくびれの位置が低くなりすぎている。次に、同じ女性が９Ｓサイズよりバスト寸法の大きい９Ｍサイズの衣服を着用した場合について説明する。
【０１０３】
図２３は、９Ｌサイズの女性が９Ｍのジャケットを着用した例を示している。図２５の写真５４は、同じ女性が９Ｍのジャケットを着用した例を側面から示している。まず、女性を正面から撮影した図２３を参照する。図２３を見ると、依然としてバスト周りがややきつく、Ｖラインの幅がやや広くなりすぎている。また、Ｖゾーンのラインの歪みが解消されていない。また、図２２と同様に、ジャケットのボタンを留めると、ボタンを中心に、前身頃の各方向へ放射線状に皺が出てしまうことがわかる。
【０１０４】
そして、同じ女性を側面から撮影した写真５４を参照する。写真５４を見ると、写真５３と同様に、バストと脇の間のエリアおよびウエスト付近に皺が出ている。また、ジャケット着用時におけるシルエットを確認すると、ウエストのバスト近くの部分および背中側の曲線が写真５３と比べて滑らかになっている。また、背中側のくびれの位置が写真５３より高くなっている。このように、９Ｓサイズの衣服の着用時と比べ、シルエットの形状が改善されているものの、依然として９Ｍサイズの衣服では、前身頃および脇周りのきつさが解消されていないことがわかる。次に、同じ女性が９Ｍサイズよりバスト寸法の大きい９Ｌサイズの衣服を着用した場合について説明する。
【０１０５】
図２４は、９Ｌサイズの女性が９Ｌのジャケットを着用した例を示している。図２５の写真５５は、同じ女性が９Ｌのジャケットを着用した例を側面から示している。まず、女性を正面から撮影した図２４参照する。図２４を見ると、ジャケットのバスト寸法が女性に合っているため、適切なおよび幅のＶゾーンが形成されていることがわかる。また、Ｖゾーンのラインは直線に近い緩やかなカーブを描いている。また、９Ｓおよび９Ｍのジャケットを着用時とは異なり、ボタンを留めたときに、前身頃に放射線状の皺が出なくなっている。特に、図２４では、図２２および図２３と比べると、バスト周りのきつさが改善されている。
【０１０６】
次に、同じ女性を側面から撮影した写真５５を参照する。写真５５を見ると、ジャケットのバスト寸法が女性に合っているため、バストと脇の間のエリアおよびウエスト付近における皺が少なくなっている。また、ジャケット着用時におけるシルエットを確認すると、ウエストのバスト近くの部分および背中側のくびれの位置が適切であり、滑らかで自然な曲線となっている。図２２〜図２５の写真の女性には、９Ｌのジャケットが合っていることがわかる。
【０１０７】
図２２〜図２５の写真では、同一の女性が９Ｓ、９Ｍ、９Ｌの３つの衣服サイズのジャケットを着用している。この３つの衣服サイズは、同一のウエスト寸法における第１サイズ、基準サイズおよび第２サイズにそれぞれ対応している。上述の設計手法を用いることにより、同じ肩幅、ウエスト寸法、裾周り幅でありながら、バスト寸法が異なる３つのサイズのジャケットを提供することが可能となる。
【０１０８】
番号部分が同じであるが、アルファベット部分が異なる衣服サイズ（例えば、上述の９Ｓ、９Ｍ、９Ｌ）を比較すると、寸法（各部位の設定ヌード寸）の多くが共通しており、一部の寸法（例えば、バスト寸法およびヒップ寸法）のみが異なっている。しかし、上述の図２２〜図２５の写真を見ると、一部の身体の部位（上述では、バスト寸法）にのみ、衣服の寸法がフィットしていない場合であっても、衣服全体の着心地、フィット感、シルエットに影響が出てしまっていることがわかる。例えば、シルエットについては、バストから離れた背中側に影響が出てしまっている。また、皺についてみても、前身頃、脇など広い範囲に影響が及んでいる。各女性に着用時の満足感が高い衣服を提供するためには、身体の個別の部位の寸法に合わせた衣服を用意できるようにすることが重要であるといえる。
【０１０９】
このように、本実施形態に係る情報処理システムを使うことにより、個々の女性の体型における、バスト、ウエスト、ヒップなどの凹凸部分に合った衣服を提供することができる。各女性は、デザインの美しさ、着心地、フィット感の各面における満足感が高い衣服を入手することが可能となる。例えば、着用時に美しいシルエット（例えば、滑らかな曲線状のくびれ）が形成され、個々の女性を美しく見せる衣服を提供することができる。また、衣服サイズの数を大幅に増やす必要がないため衣服の提供コストや衣服の提供にかかる期間を抑制することが可能である。さらに、本実施形態に係る情報処理システムには、特定の国・地域の“標準体型”に縛られない衣服サイズの衣服を提供できる利点があるともいえる。
【０１１０】
本発明のいくつかの実施形態を説明したが、これらの実施形態は例として提示したものであり、発明の範囲の限定することは意図していない、これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１１】
１  情報処理装置
２  サーバ
３  操作装置
４  表示装置
５  ネットワーク
６、７  情報端末
８  縫製システム
１０  演算部
１１  パターン生成部
１２  受注部
１３  ウェブサーバ部
１４、２２  記憶部
１５  入力部
１６  出力部
１７、２０  通信部
２１  演算制御部
２３  型入れ部
３０  顧客データ
３１  生地在庫データ
３２  体型データ
３３  注文データ
３４  オプションデータ
３５  パターンデータ
３６  補正パターンデータ
３７  ＣＡＤプログラム
３８  受注プログラム
３９  ＥＣサイトプログラム
４０  補正パターンデータ
４１  型入れ支援プログラム
４２  縫製データ
４３  制御プログラム
５０、５１、５２、５３、５４、５５  写真
６０、６１  サイズチャート
６２  テーブル
６３、６４、６５、６６  ダーツ
７０、７１、７４、７５、７６、７７  パターン
７８、７９  ヨークベルト
【図１】
0006921900.tif 000002
【図２】
0006921900.tif 000003
【図３】
0006921900.tif 000004
【図４】
0006921900.tif 000005
【図５】
0006921900.tif 000006
【図６】
0006921900.tif 000007
【図７】
0006921900.tif 000008
【図８】
0006921900.tif 000009
【図９】
0006921900.tif 000010
【図１０】
0006921900.tif 000011
【図１１】
0006921900.tif 000012
【図１２】
0006921900.tif 000013
【図１３】
0006921900.tif 000014
【図１４】
0006921900.tif 000015
【図１５】
0006921900.tif 000016
【図１６】
0006921900.tif 000017
【図１７】
0006921900.tif 000018
【図１８】
0006921900.tif 000019
【図１９】
0006921900.tif 000020
【図２０】
0006921900.tif 000021
【図２１】
0006921900.tif 000022
【図２２】
0006921900.tif 000023
【図２３】
0006921900.tif 000024
【図２４】
0006921900.tif 000025
【図２５】
0006921900.tif 000026